(57)【要約】【課題】  録画された動画像を視聴する際の利便性を向上すること。【解決手段】  携帯電話機は、デジタル放送を受信するチューナと、圧縮動画データを記録する録画部と、圧縮動画データをデコードし、動画像を出力するＡＶデコーダと、デコードに失敗したと判断された基本フレームの次にデコードに成功したと判断される基本フレームとその基本フレームの時間的な位置を示す位置情報とを関連付けた状態情報を記憶する状態記憶部と、記録された圧縮動画データをデコードした動画像を表示する再生部と、を備え、再生部は、判断部によりデコードに失敗したと判断されることに応じて（Ｓ１２でＹＥＳ）、デコードに失敗したと判断された基本フレームの時間的な位置から最も近い将来の位置を示す位置情報と関連付けられている基本フレームを将来画像として表示する将来画像表示部（Ｓ１７）を含む。【選択図】        図１
2009060331.tif 000002
【特許請求の範囲】
【請求項１】
デジタル放送の圧縮動画データを受信する受信手段と、
圧縮動画データを記録する記録手段と、
前記受信された圧縮動画データまたは前記記録された圧縮動画データをデコードし、動画像を出力するデコード手段と、
前記動画像のうち基本フレームのデコードが成功したか否かを判断する判断手段と、
前記判断手段により、デコードに失敗したと判断された基本フレームの次にデコードに成功したと判断される基本フレームと、デコードに成功したと判断された前記基本フレームの時間的な位置を示す位置情報とを関連付けた状態情報を記憶する状態記憶手段と、
前記デコード手段が前記記録された圧縮動画データをデコードして出力する前記動画像を表示する再生手段と、を備え、
前記再生手段は、前記判断手段によりデコードに失敗したと判断されることに応じて、デコードに失敗したと判断された前記基本フレームの時間的な位置から最も近い将来の位置を示す前記位置情報と前記状態情報により関連付けられている前記基本フレームを将来画像として表示する将来画像表示手段を含む、携帯型記録再生装置。
【請求項２】
前記将来画像表示手段は、前記将来画像を縮小した画像を、デコードされた前記動画像に重畳して表示する、請求項１に記載の携帯型記録再生装置。
【請求項３】
前記再生手段は、前記判断手段によりデコードに失敗したと判断された前記基本フレームの時間的な位置から前記将来画像に関連付けられている前記位置情報で示される位置までの時間を表示する待ち時間表示手段を含む、請求項１または２に記載の携帯型記録再生装置。
【請求項４】
操作を受け付ける操作受付手段を、さらに備え、
前記再生手段は、前記将来画像が表示されている最中に、前記操作受付手段により所定の操作が受け付けられると、前記将来画像に関連付けられている前記位置情報で示される位置から再生する、請求項１に記載の携帯型記録再生装置。
【請求項５】
デジタル放送の圧縮動画データを受信するステップと、
圧縮動画データを記録するステップと、
前記受信された圧縮動画データまたは前記記録された圧縮動画データをデコードし、動画像を出力するステップと、
前記動画像のうち基本フレームのデコードが成功したか否かを判断するステップと、
前記判断ステップにおいてデコードに失敗したと判断された基本フレームの次にデコードに成功したと判断される基本フレームと、デコードに成功したと判断された前記基本フレームの時間的な位置を示す位置情報とを関連付けた状態情報を記憶するステップと、
前記デコードするステップにより前記記録された圧縮動画データがデコードされ、出力される前記動画像を表示するステップと、
前記表示するステップにおいて前記動画像を表示している最中に、前記判断ステップにおいて、デコードに失敗したと判断されることに応じて、デコードに失敗したと判断された前記基本フレームの時間的な位置から最も近い将来の位置を示す前記位置情報と前記状態情報により関連付けられている前記基本フレームを将来画像として表示するステップと、を含む記録再生方法。
【請求項６】
デジタル放送の圧縮動画データを受信するステップと、
圧縮動画データを記録するステップと、
前記受信された圧縮動画データまたは前記記録された圧縮動画データをデコードし、動画像を出力するステップと、
前記動画像のうち基本フレームのデコードが成功したか否かを判断するステップと、
前記判断ステップにおいてデコードに失敗したと判断された基本フレームの次にデコードに成功したと判断される基本フレームと、デコードに成功したと判断された前記基本フレームの時間的な位置を示す位置情報とを関連付けた状態情報を記憶するステップと、
前記デコードするステップにより前記記録された圧縮動画データがデコードされ、出力される前記動画像を表示するステップと、
前記表示するステップにおいて前記動画像を表示している最中に、前記判断ステップにおいて、デコードに失敗したと判断されることに応じて、デコードに失敗したと判断された前記基本フレームの時間的な位置から最も近い将来の位置を示す前記位置情報と前記状態情報により関連付けられている前記基本フレームを将来画像として表示するステップと、をコンピュータに実行させるための記録再生プログラム。
【発明の詳細な説明】
【技術分野】
【０００１】
この発明は、携帯型記録再生装置、記録再生方法および記録再生プログラムに関し、特に携帯される携帯型記録再生装置、その携帯型記録再生装置で実行される記録再生方法および記録再生プログラムに関する。
【背景技術】
【０００２】
近年、デジタルテレビジョン放送を受信する機能を備えた携帯端末が普及しており、さらに、受信したデジタルテレビジョン放送の圧縮動画データを記録および再生する機能を有するものが登場している。携帯端末は、移動するために受信感度が変化する。このため、録画された圧縮動画データを再生すると、受信感度が悪い状態で録画された部分の動画像を再生することができず、映像が乱れたり、静止画像になったりするといった問題がある。
【０００３】
録画中に受信状態が悪くなった区間の録画を停止する技術が、特開２００５−３０３７１５号公報（特許文献１）に記載されている。また、受信状態が予め定める基準よりも悪いときの映像部分を、再生する対象から除外する技術が特開２００３−２４４５９１号公報（特許文献２）に記載されている。
【０００４】
しかしながら、従来の技術は、受信状態が悪い部分の映像が再生されない。このため、再生されない映像およびその期間を知ることができず不便であるといった問題がある。また、ユーザは、再生されない部分が長時間の場合には、内容を音声だけ聞いてコンテンツの内容を知ることを望む場合があり、また、再生されない部分が短時間の場合には、その部分をスキップして視聴を望む場合がある。
【特許文献１】特開２００５−３０３７１５号公報
【特許文献２】特開２００３−２４４５９１号公報
【発明の開示】
【発明が解決しようとする課題】
【０００５】
この発明は上述した問題点を解決するためになされたもので、この発明の目的の一つは、録画された動画像を視聴する際の利便性を向上した携帯型記録再生装置を提供することである。
【０００６】
この発明の他の目的は、録画された動画像を視聴する際の利便性を向上した記録再生方法を提供することである。
【０００７】
この発明の他の目的は、録画された動画像を視聴する際の利便性を向上した記録再生プログラムを提供することである。
【課題を解決するための手段】
【０００８】
この発明は上述した目的を達成するためになされたもので、この発明のある局面によれば、携帯型記録再生装置は、デジタル放送の圧縮動画データを受信する受信手段と、圧縮動画データを記録する記録手段と、受信された圧縮動画データまたは記録された圧縮動画データをデコードし、動画像を出力するデコード手段と、動画像のうち基本フレームのデコードが成功したか否かを判断する判断手段と、判断手段により、デコードに失敗したと判断された基本フレームの次にデコードに成功したと判断される基本フレームと、デコードに成功したと判断された基本フレームの時間的な位置を示す位置情報とを関連付けた状態情報を記憶する状態記憶手段と、デコード手段が記録された圧縮動画データをデコードして出力する動画像を表示する再生手段と、を備え、再生手段は、判断手段によりデコードに失敗したと判断されることに応じて、デコードに失敗したと判断された基本フレームの時間的な位置から最も近い将来の位置を示す位置情報と状態情報により関連付けられている基本フレームを将来画像として表示する将来画像表示手段を含む。
【０００９】
この局面に従えば、デコードに失敗したと判断された基本フレームの次にデコードに成功したと判断される基本フレームと、デコードに成功したと判断された基本フレームの時間的な位置を示す位置情報とを関連付けた状態情報とが記憶され、記録された圧縮動画データをデコードした動画像を表示する際に、基本フレームのデコードに失敗したと判断されることに応じて、デコードに失敗したと判断された基本フレームの時間的な位置から最も近い将来の位置を示す位置情報と状態情報により関連付けられている基本フレームが将来画像として表示される。このため、動画像が乱れた時点で、次に表示される予定の乱れの少ない画像が表示されるので、見栄えがよくなる。その結果、録画された動画像を視聴する際の利便性を向上した携帯型記録再生装置を提供することができる。
【００１０】
好ましくは、将来画像表示手段は、将来画像を縮小した画像を、デコードされた動画像に重畳して表示する。
【００１１】
好ましくは、再生手段は、判断手段によりデコードに失敗したと判断された基本フレームの時間的な位置から将来画像に関連付けられている位置情報で示される位置までの時間を表示する待ち時間表示手段を含む。
【００１２】
この局面に従えば、乱れの少ない将来画像が表示さるまでの待ち時間が表示されるので、乱れた動画像を継続して視聴するか否かを判断するための情報を提供することができる。
【００１３】
好ましくは、操作を受け付ける操作受付手段を、さらに備え、再生手段は、将来画像が表示されている最中に、操作受付手段により所定の操作が受け付けられると、将来画像に関連付けられている位置情報で示される位置から再生する。
【００１４】
この局面に従えば、乱れた動画像を表示するのを中止して、乱れの少ない動画像を表示することができる。ユーザの意思で乱れた動画像を視聴するか否かを選択することができる。
【００１５】
この発明の他の局面に従えば、記録再生方法は、デジタル放送の圧縮動画データを受信するステップと、圧縮動画データを記録するステップと、受信された圧縮動画データまたは記録された圧縮動画データをデコードし、動画像を出力するステップと、動画像のうち基本フレームのデコードが成功したか否かを判断するステップと、判断ステップにおいてデコードに失敗したと判断された基本フレームの次にデコードに成功したと判断される基本フレームと、デコードに成功したと判断された基本フレームの時間的な位置を示す位置情報とを関連付けた状態情報を記憶するステップと、デコードするステップにより記録された圧縮動画データがデコードされ、出力される動画像を表示するステップと、表示するステップにおいて動画像を表示している最中に、判断ステップにおいて、デコードに失敗したと判断されることに応じて、デコードに失敗したと判断された基本フレームの時間的な位置から最も近い将来の位置を示す位置情報と状態情報により関連付けられている基本フレームを将来画像として表示するステップと、を含む。
【００１６】
この局面に従えば、録画された動画像を視聴する際の利便性を向上した携帯型記録再生方法を提供することができる。
【００１７】
この発明のさらに他の局面によれば、記録再生プログラムは、デジタル放送の圧縮動画データを受信するステップと、圧縮動画データを記録するステップと、受信された圧縮動画データまたは記録された圧縮動画データをデコードし、動画像を出力するステップと、動画像のうち基本フレームのデコードが成功したか否かを判断するステップと、判断ステップにおいてデコードに失敗したと判断された基本フレームの次にデコードに成功したと判断される基本フレームと、デコードに成功したと判断された基本フレームの時間的な位置を示す位置情報とを関連付けた状態情報を記憶するステップと、デコードするステップにより記録された圧縮動画データがデコードされ、出力される動画像を表示するステップと、表示するステップにおいて動画像を表示している最中に、判断ステップにおいて、デコードに失敗したと判断されることに応じて、デコードに失敗したと判断された基本フレームの時間的な位置から最も近い将来の位置を示す位置情報と状態情報により関連付けられている基本フレームを将来画像として表示するステップと、をコンピュータに実行させる。
【００１８】
この局面に従えば、録画された動画像を視聴する際の利便性を向上した記録再生プログラムを提供することができる。
【発明を実施するための最良の形態】
【００１９】
以下、本発明の実施の形態について図面を参照して説明する。以下の説明では同一の部品には同一の符号を付してある。それらの名称および機能も同じである。したがってそれらについての詳細な説明は繰返さない。
【００２０】
図１は、本発明の実施の形態の１つにおける携帯電話機の外観を示す斜視図である。図１を参照して、携帯電話機１は、操作側部３と、表示側部２とを含む。操作側部３の内側面には、テンキーおよび通話キー等の操作キー１４と、マイクロフォン１３とが配置され、内側面に反対の外側面には後述するカメラ２４（図２参照）が配置される。表示側部２の内側面には、液晶表示装置（ＬＣＤ）１６と、レシーバとしての第１スピーカ１１とが配置される。また、表示側部２の側面には、第２スピーカ１２が配置される。なお、ここでは携帯電話機１がＬＣＤ１６を備える例を示すが、ＬＣＤ１６に代えて、有機ＥＬ（ＥｌｅｃｔｒｏＬｕｍｉｎｅｓｃｅｎｃｅ）ディスプレイを用いてもよい。
【００２１】
操作側部３と表示側部２とは、ヒンジ機構で回転可能に連結され、操作側部３と表示側部２とは開閉自在である。
【００２２】
図２は、携帯電話機の機能の一例を示す機能ブロック図である。図２を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイクロフォン１３および第１スピーカ１１と、アンテナ２３Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１で実行するプログラムやデータ等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３１と、制御部２１の作業領域として使用されるＲＡＭ（Ｒａｎｄｏｍ  Ａｃｃｅｓｓ  Ｍｅｍｏｒｙ）３２と、振動部２６と、カードインターフェース（Ｉ／Ｆ）２７と、を含む。
【００２３】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロフォン１３からアナログの音声信号が入力され、音声信号をデジタルに変換し、符号化し、そして符号化した音声信号を無線回路２２に出力する。
【００２４】
チューナ２３は、アンテナ２３Ａに接続されており、アンテナ２３Ａにより受信されたデジタルテレビジョン放送信号が入力される。デジタルテレビジョン放送信号は、映像データおよび音声データを含む高周波デジタル変調信号である。チューナ２３は、アンテナ２３Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調して可変長符号の圧縮動画データをＡＶデコーダ２９および制御部２１に出力する。
【００２５】
本実施の形態における携帯電話機１は、チューナ２３で受信したデジタルテレビジョン放送の圧縮動画データを記憶する（録画）機能と、記憶された圧縮動画データを表示する機能とを有する。携帯電話機１は、圧縮動画データを記憶する場合、圧縮動画データをデコードすることなく記録する録画モードと、圧縮動画データをデコードして動画像を表示しつつ圧縮動画データを記録するワンタッチ録画モードとのいずれかに切り換えられる。また、携帯電話機１は、圧縮動画データを表示する場合、チューナ２３で受信したデジタルテレビジョン放送の圧縮動画データを記録することなくデコードし、表示する視聴モードと、ＥＥＰＲＯＭ３１に記録された動画像データをデコードし、表示する再生モードとのいずれかに切り換えられる。
【００２６】
制御部２１は、録画モードに切り換えられているときはチューナ２３が出力する圧縮動画データをＥＥＰＲＯＭ３１に記録し、視聴モードに切り換えられているときはチューナ２３が出力する圧縮動画データをＡＶデコーダ２９に出力する。制御部２１は、ワンタッチ録画モードに切り換えられているときはチューナ２３が出力する圧縮動画データをＥＥＰＲＯＭ３１に記録するとともに、ＡＶデコーダ２９に出力する。また、制御部２１は、再生モードに切り換えられているときは、ＥＥＰＲＯＭ３１に記憶された圧縮動画データをＡＶデコーダ２９に出力する。
【００２７】
ＡＶデコーダ２９は、ビデオデコーダおよびオーディオデコーダを備えている。ＡＶデコーダ２９は、制御部２１により制御され、圧縮動画データを復号して映像信号と音声信号を生成する。ＡＶデコーダ２９は、視聴モード、ワンタッチ録画モードまたは再生モードに切り換えられている場合、生成した映像信号をＤ／Ａ（デジタル／アナログ）変換した動画像を表示制御部３０に出力し、生成した音声信号をＤ／Ａ変換して第２スピーカ１２に与える。
【００２８】
また、ＡＶデコーダ２９は、録画モード、ワンタッチ録画モード、または再生モードに切り換えられている場合、圧縮動画データを復号する際に、圧縮動画データに含まれる基本フレームと、その基本フレームの時間的な位置を示す位置情報とを制御部２１に出力する。位置情報は、ここではフレーム位置である。なお、位置情報は、フレーム番号であってもよいし、例えば録画開始時等の基準となる時刻からの経過時間としてもよい。
【００２９】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００３０】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するためのプログラムをＥＥＰＲＯＭ３１に記憶しておく例を説明するが、プログラムをフラッシュメモリ２７Ａに記憶しておき、フラッシュメモリ２７Ａからプログラムを読み出して、制御部２１で実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。
【００３１】
また、携帯電話機１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム形式のプログラム、圧縮処理されたプログラム、暗号化されたプログラム等を含む。
【００３２】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３１またはカードＩ／Ｆ２７に装着されたフラッシュメモリ２７Ａに記憶する。
【００３３】
操作部２５は、操作キー１４と、ランプ２５Ａとを含む。操作キー１４は、ユーザによる操作の入力を受け付け、受付けた操作を制御部２１に出力する。ランプ２５Ａは、制御部２１により制御されて発光する。
【００３４】
制御部２１は、操作キー１４から操作が入力されると、入力された操作に応じて処理を実行する。制御部２１は、ＥＥＰＲＯＭ３１に記憶されている複数のアプリケーションプログラムを読出して実行する。アプリケーションプログラムには、携帯電話機１をテレビジョンまたはラジオとして機能させるためのアプリケーションプログラム、携帯電話機１を記録再生装置として機能させるためのアプリケーションプログラムを含む。
【００３５】
図３は、携帯電話機が備える制御部の機能の概要を示す機能ブロック図である。図３を参照して、制御部２１は、チューナ２３から出力される圧縮動画データをＥＥＰＲＯＭ３１に記録する録画部５１と、ＡＶデコーダ２９を制御するためのデコーダ制御部５３と、圧縮動画データに含まれる基本フレームのデコードに成功したか否かを判断する判断部５５と、判断結果を状態情報として記憶する状態記憶部５７と、ＡＶデコーダ２９が出力する動画像を表示するための再生部５９と、ユーザにより操作を受け付ける操作受付部６７と、を含む。
【００３６】
録画部５１は、チューナ２３から出力される圧縮動画データが入力される。録画部５１は、携帯電話機１が録画モードまたはワンタッチ録画モードに設定されているときに、圧縮動画データをＥＥＰＲＯＭ３１に記録する。これにより、ＥＥＰＲＯＭ３１に圧縮動画データ７１が記憶される。
【００３７】
デコーダ制御部５３は、ＡＶデコーダ２９を制御し、ＡＶデコーダ２９に圧縮動画データをデコードさせる。デコーダ制御部５３は、携帯電話機１が視聴モード、録画モードまたはワンタッチ録画モードに切り換えられているときは、ＡＶデコーダ２９にチューナ２３から出力される圧縮動画データをデコードさせる。また、デコーダ制御部５３は、携帯電話機１が再生モードに切り換えられているときは、ＡＶデコーダ２９にＥＥＰＲＯＭ３１に記憶されている圧縮動画データをデコードさせる。
【００３８】
さらに、デコーダ制御部５３は、携帯電話機１が録画モード、ワンタッチ録画モードまたは再生モードに切り換えられているときは、ＡＶデコーダ２９から受け付ける基本フレームと、その位置情報とを判断部５５に出力する。
【００３９】
判断部５５は、デコーダ制御部５３から入力される基本フレームに基づいて、その基本フレームがデコードに成功したか否かを判断する。具体的には、基本フレームが有する画素数の所定の割合がデコードに成功したならばその基本フレームがデコードに成功したと判断し、そうでなければデコードに失敗したと判断する。判断部５５は、携帯電話機１が録画モードまたはワンタッチ録画モードに切り換えられているときは、基本フレームと、その位置情報と、判断結果とを状態記憶部５７に出力する。また、判断部５５は、携帯電話機１が再生モードに切り換えられているとき、基本フレームのデコードに失敗したと判断すると、その基本フレームの位置情報を含むエラー信号を再生部５９に出力する。
【００４０】
状態記憶部５７は、基本フレームと、その位置情報と、判断結果とが入力される。状態記憶部５７は、判断結果がデコードに失敗したことを示す場合、次にデコードに成功したことを示す判断結果が判断部５５から入力されるまで待機する。そして、デコードに失敗したことを示す判断結果が入力された次にデコードに成功したことを示す判断結果が判断部５５から入力されると、デコードに成功したことを示す判断結果とともに判断部５５から入力される基本フレームとその位置情報とを関連付ける状態情報をＥＥＰＲＯＭ３１に圧縮動画データ７１と関連付けて記憶する。これによりＥＥＰＲＯＭ３１に状態情報７３が記憶される。
【００４１】
操作受付部６７は、ユーザが操作部２５に入力する操作を受け付ける。操作受付部６７は、携帯電話機１が再生モードに切り換えられているときに、操作部２５に予め定められたスキップキーが指示されると、スキップ指示を再生部５９のスキップ再生部６５に出力する。
【００４２】
再生部５９は、携帯電話機１が視聴モード、ワンタッチ録画モードまたは再生モードに切り換えられているときは、表示制御部３０を制御して、ＡＶデコーダ２９が出力する動画像をＬＣＤ１６に表示させる。換言すれば、再生部５９は、携帯電話機１が視聴モード、ワンタッチ録画モードに切り換えられているときは、チューナ２３から出力される圧縮動画データをデコードした動画像をＬＣＤ１６に表示させ、携帯電話機１が再生モードに切り換えられているときは、ＥＥＰＲＯＭ３１に記憶されている圧縮動画データをデコードした動画像をＬＣＤ１６に表示させる。
【００４３】
再生部５９は、将来画像表示部６１と、待ち時間表示部６３と、スキップ再生部６５と、を含む。将来画像表示部６１は、携帯電話機１が再生モードに切り換えられているとき、判断部５５からエラー信号が入力されると、ＥＥＰＲＯＭ３１に記憶されている状態情報７３を参照し、エラー信号に含まれる位置情報で示される位置より後の位置を示す位置情報と関連付けられている基本フレームであって、エラー信号に含まれる位置情報で示される位置に最も時間的に近い位置を示す位置情報と関連付けられている基本フレームを将来画像に決定し、決定した将来画像とその位置情報とを読み出す。
【００４４】
再生部５９は、エラー信号に含まれる位置情報と、決定した将来画像の位置情報とを待ち時間表示部６３およびスキップ再生部６５に出力する。また、将来画像表示部６１は、決定した将来画像を、表示制御部３０に出力し、ＬＣＤ１６に表示させる。表示制御部３０は、ＬＣＤ１６に圧縮動画データ７１をデコードした動画像を表示させている。このため、将来画像表示部６１は、将来画像を縮小し、ＬＣＤ１６の予め定められた位置に、その時表示している動画像に重畳して表示する。この場合、表示制御部３０が有する２つの画像を合成する合成部により、縮小された将来画像が動画像に合成される。また、ＯＳＤ（Ｏｎ  Ｓｃｒｅｅｎ  Ｄｉｓｐｌａｙ）機能を用いて、縮小された将来画像を動画像に重畳して表示するようにしてもよい。なお、ＡＶデコーダ２９によるデコードに失敗して、表示制御部３０がＬＣＤ１６に静止画が表示されていたり、何も表示されていなかったりする場合には、将来画像をＬＣＤ１６の全画面に表示するようにしてもよい。
【００４５】
待ち時間表示部６３は、携帯電話機１が再生モードに切り換えられているとき、将来画像表示部６１からエラー信号に含まれる位置情報と、将来画像の位置情報とが入力されると、エラー信号に含まれる位置情報で示される位置と、将来画像の位置情報で示される位置との間の時間を算出し、算出した時間を待ち時間として、将来画像表示部６１が将来画像を表示したのと同様に、表示制御部３０に出力し、ＬＣＤ１６に表示させる。また、待ち時間表示部６３は、時間が経過すると、先に表示した待ち時間から経過した時間を減算し、算出した待ち時間をＬＣＤ１６に表示させる。時間の経過とともに待ち時間が短くなるからである。待ち時間表示部６３は、将来画像表示部６１がＬＣＤ１６に将来画像を縮小表示している場合には、将来画像の近傍に待ち時間を表示するのが好ましい。また、将来画像表示部６１がＬＣＤ１６の全画面に将来画像を表示している場合には、将来画像に重畳して待ち時間を表示する。
【００４６】
スキップ再生部６５は、将来画像表示部６１からエラー信号に含まれる位置情報と、将来画像の位置情報とが入力される。スキップ再生部６５は、エラー信号に含まれる位置情報で示される位置から将来画像の位置情報で示される位置までの間に、操作受付部６７からスキップ指示が入力されると、ＡＶデコーダ２９に将来画像の位置情報で示される位置からデコードする指示を出力する。これにより、ＡＶデコーダ２９は、将来画像の位置情報で示される位置からデコードするので、ＬＣＤ１６には、将来画像から動画像が表示される。このため、乱れた映像を再生することなく、その後の乱れのない映像をＬＣＤ１６に表示することができる。
【００４７】
図４は、動画像を説明するための図である。ここでは、Ｈ．２６４／ＡＶＣの符号化方式で動画像を圧縮した圧縮動画データを受信する場合を例に示している。なお符号化方式は、Ｈ．２６４／ＡＶＣに限らず、ＭＰＥＧ（Ｍｏｖｉｎｇ  Ｐｉｃｔｕｒｅ  Ｅｘｐｅｒｔｓ  Ｇｒｏｕｐ）等で符号化された圧縮動画データであってもよい。
【００４８】
図４を参照して、図面左から右に時間軸を示し、再生の対象となる動画像のＩＤＲフレーム（基本フレーム）を順に示している。動画像の最初の時刻ｔ０から時刻ｔ１より前までのＩＤＲフレームは、デコードに成功したＩＤＲフレームを示す。時刻ｔ１から時刻ｔ２より前までのＩＤＲフレームがデコードに失敗したＩＤＲフレームを示す。携帯電話機１が録画モードまたはワンタッチ録画モードに切り換えられているとき、時刻ｔ２におけるＩＤＲフレームと時刻ｔ２とを含む状態情報７３がＥＥＰＲＯＭ３１に記憶される。携帯電話機１が再生モードに切り換えられているとき、時刻ｔ１においてＩＤＲフレームのデコードに失敗したと判断される。この時点で、時刻ｔ１より後のデコードに成功したＩＤＲフレームであって、時刻ｔ１に最も近い時刻ｔ２のＩＤＲフレームが将来画像に決定される。そして、時刻ｔ１において、時刻ｔ２のＩＤＲフレームを縮小した画像が、動画像に重畳して表示される。また、時刻ｔ１から時刻ｔ２までの期間Ｔが算出され、期間Ｔが待ち時間として動画像に重畳して表示される。また、時刻ｔ１から時刻ｔ２までの間に、ユーザが操作部２５に設けられたスキップキーを指示すると、時刻ｔ２のＩＤＲフレームから動画像が再生される。すなわち、スキップキーを指示してから時刻ｔ２までの動画像が表示されない。
【００４９】
図５は、ＬＣＤに表示される画面の一例を示す図である。図５を参照して、ＬＣＤ１６の画面１００の全体に動画像が表示され、画面１００の右上の領域１０１に将来画像を縮小した画像が動画像に重畳して表示され、その下方の領域１０３に将来画像が画面１００に表示されるまでの待ち時間が表示される。このため、ユーザは、ＬＣＤ１６の画面１００に表示される動画像が乱れる場合に、乱れの少ない将来画像と、その将来画像までの時間とが画面１００に表示されるので、将来画像まで乱れた画像を継続して視聴するか、または、乱れた画像を見るのを回避して将来画像までスキップして動画像を視聴するかを選択することができる。また、将来画像までの時間が待ち時間として画面１００に表示されるので、画像が乱れた動画像が表示される時間を知ることができるとともに、スキップする場合には、見ることのできない時間を知ることができる。画像が乱れた動画像を見る場合であっても音声は再生されるので、コンテンツの内容をコンテンツから知ることができる。
【００５０】
図６は、録画処理の流れの一例を示すフローチャートである。録画処理は、携帯電話機１が録画モードまたはワンタッチ録画モードに切り換えられているときに、制御部２１が記録再生プログラムを実行することにより、制御部２１により実行される処理である。
【００５１】
図６を参照して、制御部２１は、録画を開始する指示を受け付けるまで待機状態となり（ステップＳ０１でＮＯ）、録画を開始する指示を受け付けたならば処理をステップＳ０２に進める。ユーザが操作部２５に備えられた録画ボタンを押下する指示を受け付けると、録画を開始する指示を受け付ける。
【００５２】
ステップＳ０２においては、フラグを「０」に設定し、処理をステップＳ０３に進める。フラグは、デコードに失敗した後に初めてデコードに成功する基本フレームを検出するために用いられる。基本フレームのデコードに失敗してから次に基本フレームのデコードに成功するまでの間、「１」に設定される。
【００５３】
ステップＳ０３においては、基本フレームのデコードに成功したか否かを判断する。基本フレームのデコードに成功したならば処理をステップＳ０４に進め、失敗したならば処理をステップＳ０８に進める。ステップＳ０８においては、フラグを「１」に設定し、処理をステップＳ０３に戻す。
【００５４】
ステップＳ０４においては、フラグが「１」に設定されているか否かを判断する。フラグが「１」に設定されていれば処理をステップＳ０５に進めるが、そうでなければ処理をステップＳ０７に進める。
【００５５】
ステップＳ０５においては、基本フレームと位置情報とを関連付ける状態情報を圧縮動画データ７１と関連付けてＥＥＰＲＯＭ３１に記憶する。ここでは、状態情報は、基本フレームとフレーム位置とを関連付ける。そして、次のステップＳ０６においてフラグを「０」に設定し、処理をステップＳ０７に進める。ステップＳ０７においては、録画を終了するか否かを判断する。録画を終了するならば処理を終了し、そうでなければ録画を継続するために処理をステップＳ０３に戻す。録画の終了の検出は、例えば、ユーザが操作部２５に設けられた録画終了キーを押下したことの検出、または、予約録画の場合には予約された終了時刻になったことの検出である。
【００５６】
＜録画処理の変形例＞
上述した録画処理においては、基本フレームのデコードに成功したか否かにより、状態情報を記憶するようにしたが、チューナ２３が受信する電波の受信レベルに基づいて、状態情報を記憶するようにしてもよい。ここでは、受信レベルを電波強度で示す。
【００５７】
状態記憶部５７は、チューナ２３が受信する電波の受信レベルが予め定められたしきい値Ｔ未満ならば、次に受信レベルがしきい値Ｔ以上になるまで待機する。そして、受信レベルがしきい値Ｔになると、ＡＶデコーダ２９から次に出力される基本フレームとその位置情報とを関連付ける状態情報をＥＥＰＲＯＭ３１に圧縮動画データ７１と関連付けて記憶する。録画処理の変形例における携帯電話機１においては、録画時、換言すれば、録画モード、ワンタッチ録画モードの場合には、判断部５５による判断結果を状態記憶部５７に入力する必要はない。
【００５８】
図７は、変形例における録画処理の流れの一例を示すフローチャートである。図７を参照して、図６に示した録画処理と異なる点は、ステップＳ０３Ａが変更された点およびステップＳ０４Ａが追加された点である。以下、異なる点を主に説明する。
【００５９】
ステップＳ０３Ａにおいては、チューナ２３が受信する電波の電波強度で定まる受信レベルが、しきい値Ｔ以上か否かを判断する。受信レベルがしきい値Ｔ以上ならば処理をステップＳ０４に進め、そうでなければ処理をステップＳ０８に進める。ステップＳ０４において、フラグが「１」に設定されているか否かを判断し、フラグが「１」に設定されているならば処理をステップＳ０４Ａに進める。ステップＳ０４Ａにおいては、次の基本フレームを検出するまで待機する。そして、次の基本フレームを検出したならば処理をステップＳ０５に進める。ステップＳ０５においては、検出された基本フレームと、その位置情報とを関連付ける状態情報をＥＥＰＲＯＭ３１に記憶する。状態情報は、基本フレームとその位置情報とを含む。
【００６０】
なお、チューナ２３が受信する電波の電波強度で定まる受信レベルをしきい値Ｔと比較するのに代えて、高周波デジタル変調信号を復調した圧縮動画データのビットエラーレートを所定の値と比較するようにしてもよい。
【００６１】
図８は、再生処理の流れの一例を示すフローチャートである。再生処理は、携帯電話機１が、再生モードに切り換えられているときに制御部２１が記録再生プログラムを実行することにより、制御部２１により実行される処理である。
【００６２】
図８を参照して、制御部２１は、再生を開始する指示を受け付けるまで待機状態となり（ステップＳ１１でＮＯ）、再生を開始する指示を受け付けたならば処理をステップＳ１２に進める。ユーザが、ＥＥＰＲＯＭ３１に記憶された圧縮動画データを指示し、操作部２５に備えられた再生ボタンを押下する指示を受け付けると、録画を開始する指示を受け付ける。
【００６３】
次のステップＳ１２においては、基本フレームのデコードに失敗したか否かを判断する。基本フレームのデコードに失敗したならば処理をステップＳ１３に進め、成功したならば処理をステップＳ２３に進める。ステップＳ１３においては、デコードに失敗した基本フレームの位置情報を取得する。
【００６４】
次に、状態情報を検索する（ステップＳ１４）。具体的には、ＥＥＰＲＯＭ３１に記憶された状態情報のうちからステップＳ１３において取得された位置情報で示される位置より後の位置を示す位置情報を含む状態情報を検索する。そして、検索により抽出された状態情報に含まれる基本フレームを将来画像として状態情報から読み出す（ステップＳ１５）。
【００６５】
そして、読み出した将来画像を予め定められたサイズに縮小する（ステップＳ１６）。次に縮小された将来画像を、ＬＣＤ１６に表示されている動画像に重畳して表示する（ステップＳ１７）。次のステップＳ１８においては、待ち時間を算出する。ステップＳ１３において取得された位置情報で示される位置からステップＳ１５において検索された位置情報で示される位置までの時間を待ち時間として算出する。そして、算出した待ち時間を、ＬＣＤ１６に表示されている動画像に重畳して表示する（ステップＳ１９）。なお、待ち時間は、時間の経過とともに、経過時間を減算した時間に更新し、更新した待ち時間をＬＣＤ１６に表示する。
【００６６】
次のステップＳ２０においては、現在再生している再生位置がステップＳ１５において読み出された将来画像の位置になったか否かを判断する。将来画像に関連付けられた位置情報で示される位置になったならば処理をステップＳ２３に進めるが、そうでなければ処理をステップＳ２１に進める。
【００６７】
ステップＳ２１においては、スキップ指示を受け付けたか否かを判断する。ユーザが操作部２５のスキップキーを押下したか否かを判断する。スキップ指示を受け付けたならば、処理をステップＳ２２に進めるが、そうでなければ処理をステップＳ２０に戻す。換言すれば、ステップＳ１５において読み出された将来画像に関連付けられた位置情報で示される位置になるまでスキップ指示を受け付け、スキップ指示を受け付けたならば処理をステップＳ２２に進める。
【００６８】
ステップＳ２２においては、ステップＳ１５において読み出された将来画像に関連付けられた位置情報で示される位置から再生する。そして、次のステップＳ２３においては、再生を終了するか否かを判断する。再生を終了するならば処理を終了し、そうでなければ再生を継続するために処理をステップＳ１２に進める。再生を終了するか否かの検出は、操作部２５に設けられた再生終了キーが押下されたことの検出、または、ステップＳ１１で指定された圧縮動画データを最後まで再生したことの検出である。
【００６９】
以上説明したように本実施の形態における携帯電話機１は、デジタルテレビジョン放送の圧縮動画データを受信し、圧縮動画データを記録する最中に、圧縮動画データをデコードし、動画像のうち基本フレームのデコードに失敗したと判断された場合、次にデコードに成功した基本フレームと、その基本フレームの時間的な位置を示す位置情報（フレーム位置）とを関連付けた状態情報をＥＥＰＲＯＭ３１に記憶する。そして、圧縮動画データを再生中に、基本フレームのデコードに失敗すると、その基本フレームの時間的な位置から最も近い将来の位置を示す位置情報と状態情報により関連付けられている基本フレームを将来画像として表示する。このため、動画像が乱れた時点で、次に表示される予定の乱れの少ない画像が表示されるので、見栄え良くすることができる。
【００７０】
また、将来画像を縮小した画像を、動画像に重畳して表示するので、乱れた動画像の視聴を継続するか否かの判断するための情報を提供することができる。また、デコードに失敗した基本フレームの時間的な位置から将来画像に関連付けられた位置情報で示される位置までの時間を表示するので、乱れた動画像を継続して視聴するか否かを判断するための情報を提供することができる。例えば、待ち時間が短い場合には、ユーザは乱れた動画像を視聴しなくてもコンテンツを把握することができるので、継続して視聴しないことを選択することができる。逆に、待ち時間が長い場合には、ユーザは、乱れた動画像を継続して視聴すれば、その間に出力される音声と将来画像とからコンテンツを把握することができるので、継続して視聴することを選択することができる。
【００７１】
また、将来画像が表示されている最中に、スキップキーが押下されると、将来画像に関連付けられている位置情報で示される位置から再生するので、乱れた動画像を表示するのを中止して、乱れの少ない動画像を表示することができる。このため、ユーザの意思で乱れた動画像を視聴するか否かを選択することができる。
【００７２】
なお、本実施の形態においては、携帯型記録再生装置の一例として携帯電話機１を例に説明したが、デジタルテレビジョン放送を受信する機能および録画再生機能を備えていれば、携帯型のテレビジョン装置、カーナビゲーション装置、ＰＤＡ（Ｐｅｒｓｏｎａｌ  Ｄｉｇｉｔａｌ  Ａｓｓｉｓｔａｎｔｓ）等であってもよい。
【００７３】
また、図６または図７に示した録画処理または図８に示した再生処理を実行するための記録再生方法およびその記録再生方法をコンピュータに実行させるための記録再生プログラムとして発明を捉えることができるのは言うまでもない。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本発明の実施の形態の１つにおける携帯電話機の外観を示す斜視図である。
【図２】携帯電話機の機能の一例を示す機能ブロック図である。
【図３】携帯電話機が備える制御部の機能の概要を示す機能ブロック図である。
【図４】動画像を説明するための図である。
【図５】ＬＣＤに表示される画面の一例を示す図である。
【図６】録画処理の流れの一例を示すフローチャートである。
【図７】変形例における録画処理の流れの一例を示すフローチャートである。
【図８】再生処理の流れの一例を示すフローチャートである。
【符号の説明】
【００７６】
１  携帯電話機、２  表示側部、３  操作側部、１１  第１スピーカ、１２  第２スピーカ、１３  マイクロフォンロフォン、１４  操作キー、１６  ＬＣＤ、２１  制御部、２２  無線回路、２２Ａ  アンテナ、２３  チューナ、２３Ａ  アンテナ、２４  カメラ、２５  操作部、２５Ａ  ランプ、２６  振動部、２７  カードＩ／Ｆ、２７Ａ  フラッシュメモリ、２８  コーデック部、２９  ＡＶデコーダ、３０  表示制御部、３１  ＥＥＰＲＯＭ、３２  ＲＡＭ、５１  録画部、５３  デコーダ制御部、５５  判断部、５７  状態記憶部、５９  再生部、６１  将来画像表示部、６３  時間表示部、６５  スキップ再生部、６７  操作受付部、７１  圧縮動画データ、７３  状態情報。
【図１】
2009060331.tif 000003
【図２】
2009060331.tif 000004
【図３】
2009060331.tif 000005
【図４】
2009060331.tif 000006
【図５】
2009060331.tif 000007
【図６】
2009060331.tif 000008
【図７】
2009060331.tif 000009
【図８】
2009060331.tif 000010